(57)【特許請求の範囲】
【請求項１】
波長パスの設定によりノード間の接続を行う光ネットワークのノード間接続方法において、
各ノードは、シグナリングプロトコルを用い、他の複数のノードに対して所定の順番で、各ノードの最大待ち時間よりも短い時間の繰り返し周期で波長パスの設定および解除を繰り返し、前記他の複数のノードとの仮想的な常時接続を行う
ことを特徴とする光ネットワークのノード間接続方法。
【請求項２】
波長パスの設定によりノード間の接続を行う光ネットワークのノード間接続方法において、
各ノードは複数のインタフェースを有し、各インタフェースごとにシグナリングプロトコルを用い、それぞれ他の複数のノードに対して所定の順番で、各ノードの最大待ち時間よりも短い時間の繰り返し周期で波長パスの設定および解除を繰り返し、前記他の複数のノードとの仮想的な常時接続を行う
ことを特徴とする光ネットワークのノード間接続方法。
【請求項３】
請求項１または請求項２に記載の光ネットワークのノード間接続方法において、
前記複数のノードに対して波長パスを設定している時間（接続時間）により、それぞれのノードとの接続に割り当てる容量を設定する
ことを特徴とする光ネットワークのノード間接続方法。
【請求項４】
請求項１または請求項２に記載の光ネットワークのノード間接続方法において、
前記各ノードに対して波長パスを設定している時間（接続時間）を前記繰り返し周期単位で変化させ、各ノードとの接続に割り当てる容量を可変設定する
ことを特徴とする光ネットワークのノード間接続方法。
【請求項５】
波長パスの設定によりノード間の接続を行う光ネットワークにおいて、
ノードはシグナリングプロトコルを用い、他の複数のノードに対して所定の順番で、各ノードの最大待ち時間よりも短い時間の繰り返し周期で波長パスの設定および解除を繰り返し、前記他の複数のノードとの仮想的な常時接続を行う構成である
ことを特徴とする光ネットワーク。
【請求項６】
波長パスの設定によりノード間の接続を行う光ネットワークにおいて、
ノードは複数のインタフェースを有し、各インタフェースごとにシグナリングプロトコルを用い、それぞれ他の複数のノードに対して所定の順番で、各ノードの最大待ち時間よりも短い時間の繰り返し周期で波長パスの設定および解除を繰り返し、前記他の複数のノードとの仮想的な常時接続を行う構成である
ことを特徴とする光ネットワーク。
【請求項７】
請求項５または請求項６に記載の光ネットワークにおいて、  前記ノードは、前記複数のノードに対して波長パスを設定している時間（接続時間）により、それぞれのノードとの接続に割り当てる容量を設定する
ことを特徴とする光ネットワークのノード間接続方法。
【請求項８】
請求項５または請求項６に記載の光ネットワークにおいて、  前記ノードは、前記各ノードに対して波長パスを設定している時間（接続時間）を前記繰り返し周期単位で変化させ、各ノードとの接続に割り当てる容量を可変設定する構成である
ことを特徴とする光ネットワーク。
【請求項９】
波長パスの設定によりノード間の接続を行う光ネットワークのノードにおいて、
シグナリングプロトコルを用い、他の複数のノードに対して所定の順番で、各ノードの最大待ち時間よりも短い時間の繰り返し周期で波長パスの設定および解除を繰り返し、前記他の複数のノードとの仮想的な常時接続を行う構成である
ことを特徴とする光ネットワークのノード。
【請求項１０】
波長パスの設定によりノード間の接続を行う光ネットワークのノードにおいて、
複数のインタフェースを有し、各インタフェースごとにシグナリングプロトコルを用い、それぞれ他の複数のノードに対して所定の順番で、各ノードの最大待ち時間よりも短い時間の繰り返し周期で波長パスの設定および解除を繰り返し、前記他の複数のノードとの仮想的な常時接続を行う構成である
ことを特徴とする光ネットワークのノード。
【請求項１１】
請求項９または請求項１０に記載の光ネットワークのノードにおいて、
前記複数のノードに対して波長パスを設定している時間（接続時間）により、それぞれのノードとの接続に割り当てる容量を設定する構成である
ことを特徴とする光ネットワークのノード。
【請求項１２】
請求項９または請求項１０に記載の光ネットワークのノードにおいて、
前記各ノードに対して波長パスを設定している時間（接続時間）を前記繰り返し周期単位で変化させ、各ノードとの接続に割り当てる容量を可変設定する構成である
ことを特徴とする光ネットワークのノード。
【発明の詳細な説明】
【０００１】
【発明の属する技術分野】
本発明は、波長パスの設定によりノード間の接続を行う光ネットワーク、ノード、およびノード間接続方法に関する。
【０００２】
【従来の技術】
波長が提供する帯域を１本の波長パスとして使用する光ネットワークでは、ノード間に波長パスを設定する場合に、ネットワーク管理センタに配備されたネットワーク管理システムから各ノードに波長パス設定・解除のコマンドを逐次送出している。ここで、波長パスの接続先を時間的に順次変更する場合、ネットワーク管理システムは全ての波長パスの接続変更を管理してコマンドを送出する必要があるので、多数の接続変更処理を同時かつ高速に行うことは処理量が膨大になり困難であった。そのため、各ノードへ順次波長パスの接続先を切り替えていくが、ノード数に応じた時間が必要であった。
【０００３】
一方、単一のインタフェースで複数のノードと接続する技術としては、ＡＴＭやＳＤＨのチャネラライズドインタフェースがある。この技術は、１波長の伝送帯域を細かく分割して宛先ノードごとに割り当てるので、接続ノード数の増加とともに、ノード間に割当可能なピーク容量が伝送帯域に比べて著しく低下する問題があった。
【０００４】
【発明が解決しようとする課題】
従来の光ネットワークは、ネットワーク管理システムから各ノードに波長パス設定・解除のコマンドを逐次送出して波長パスの接続先を変更する構成であるので、複数のノードに対して短時間で接続と解除を繰り返し、仮想的に常時接続を実現することは困難であった。
【０００５】
本発明は、波長パスを高速に切り替えることにより、仮想的に常時接続するノード数を増加させることができる光ネットワーク、ノード、およびノード間接続方法に関する。
【０００６】
【課題を解決するための手段】
本発明は、波長パスの設定によりノード間の接続を行う光ネットワーク、ノード、ノード間接続方法において、各ノードは、シグナリングプロトコルを用い、他の複数のノードに対して所定の順番で、各ノードの最大待ち時間よりも短い時間の繰り返し周期で波長パスの設定および解除を繰り返し、他の複数のノードとの仮想的な常時接続を行う。
【０００７】
また、本発明は、波長パスの設定によりノード間の接続を行う光ネットワーク、ノード、ノード間接続方法において、各ノードは複数のインタフェースを有し、各インタフェースごとにシグナリングプロトコルを用い、それぞれ他の複数のノードに対して所定の順番で、各ノードの最大待ち時間よりも短い時間の繰り返し周期で波長パスの設定および解除を繰り返し、他の複数のノードとの仮想的な常時接続を行う。
【０００８】
また、複数のノードに対して波長パスを設定している時間（接続時間）により、それぞれのノードとの接続に割り当てる容量を設定するようにしてもよい。
【０００９】
また、各ノードに対して波長パスを設定している時間（接続時間）を繰り返し周期単位で変化させ、各ノードとの接続に割り当てる容量を可変設定するようにしてもよい。
【００１０】
【発明の実施の形態】
（第１の実施形態）
図１は、本発明の光ネットワークの基本構成を示す。図において、ノード１，２，３，４のそれぞれの間には波長パスが設定される。ここでは、ノード１とノード３との間に波長パスＰ１が設定され、ノード２とノード４との間に波長パスＰ２が設定されている。この波長パスはシグナリングプロトコルにより設定されるものとする。シグナリングプロトコルとしては、ＲＳＶＰ−ＴＥやＣＲ−ＬＤＰなどのプロトコルが一般的であるが、本発明はプロトコルを限定するものではない。
【００１１】
本発明の光ネットワークでは、ノード間に設定される波長パスは、時間とともにシグナリングプロトコルで順次、設定と解除の繰り返しにより切り替えられ、現在ノード間に未設定の波長パスＱ１，Ｑ２，Ｑ３，Ｑ４も設定される。
【００１２】
ここでノード１に着目すると、ノード２へ接続するための波長パスＱ１、ノード３へ接続するための波長パスＰ１、ノード４へ接続するための波長パスＱ２が、シグナリングプロトコルで順次、設定と解除の繰り返しにより設定される。この繰り返し周期が、所定の最大待ち時間に比べて小さければ、ノード１からノード２〜４へは常時接続を行っているとみなすことができ、仮想的な常時接続が実現する。例えば、ＩＰ網では、ルーティングプロトコルがリンクの正常性を確認するために30秒周期で確認パケットを隣接ノードに送出し、３回連続して（合計１分30秒）応答が戻らない場合にリンクが切断されたと判断している。したがって、例えば30秒に１回ノード間に波長パスを設定し、接続時間内で瞬時に確認パケットおよび応答パケットを転送すれば、３回連続して応答が戻らない事態の発生を回避することができ、仮想的な常時接続を利用してＩＰ網を構築することができる。
【００１３】
図２は、本発明のノードおよびノード間接続方法の第１の実施形態として、ノード１における波長パスの切り替え例を示す。波長パスとして帯域10Ｇbps の信号を使用し、ノード２へ接続する波長パスＱ１の接続時間を１秒、ノード４へ接続する波長パスＱ２の接続時間を１秒、ノード３へ接続する波長パスＰ１の接続時間を 2.5秒とする。また、シグナリングプロトコルによる波長パスの設定と解除の時間は合計で 0.5秒とすると、波長パスＱ１，Ｑ２，Ｐ１を順次設定して解除が終了するまでの時間（繰り返し周期）は６秒となる。
【００１４】
このとき、波長パスＱ１のピーク容量は10Ｇbps 、平均容量は10／６Ｇbps 、波長パスＱ２のピーク容量は10Ｇbps 、平均容量は10／６Ｇbps 、波長パスＰ１のピーク容量は10Ｇbps 、平均容量は25／６Ｇbps となる。平均容量の総和（45／６Ｇbps ）がピーク容量と一致しないのは、シグナリングプロトコルによる波長パスの設定と解除の時間のために、15／６Ｇbps の帯域が無効になっているためである。このように、複数のノードに対して波長パスを設定している時間（接続時間）により、それぞれのノードとの接続に割り当てる容量を設定することができる。
【００１５】
本実施形態のノードは、繰り返し周期６秒で３本の波長パスを、シグナリングプロトコルにより順次設定と解除を繰り返す手段を備えることにより、ピーク容量を波長パスの帯域とした仮想的な常時接続を実現することができる。
【００１６】
（第２の実施形態）
図３は、本発明のノードおよびノード間接続方法の第２の実施形態を示す。ここでは、複数本（Ｍ＝２）のインタフェースを利用し、ノード１がノード２〜８と仮想的に常時接続する場合の例を示す。インタフェース♯１では、周期６秒でノード２，３，４と接続し、インタフェース♯２では周期 7.5秒でノード５，６，７，８と接続する。
【００１７】
ノードは、シグナリングプロトコルにより各インタフェースにおける波長パスの設定と解除を独立に行う構成である。なお、各インタフェースにおける繰り返し周期も任意であり、互いの同期関係も不要である。
【００１８】
（第３の実施形態）
図４は、本発明のノードおよびノード間接続方法の第３の実施形態を示す。ここでは、複数本のインタフェースを利用し、ノード１がノード２〜４と仮想的に常時接続する場合に、各ノードへの接続周期を短縮する例を示す。インタフェース♯１では、周期６秒でノード２，４，３の順に接続し、インタフェース♯２では周期６秒でノード３，２，４の順に接続する。例えばノード２に接続する波長パスについては、インタフェース♯１で設定され、続いてインタフェース♯２で設定されるので、周期６秒の間に２度接続されることになり接続周期が短縮される。
【００１９】
（第４の実施形態）
図５は、本発明のノードおよびノード間接続方法の第４の実施形態を示す。ここでは、第１の実施形態において、波長パスの接続時間を変更することにより、平均容量を任意に設定する例を示す。ノード２へ接続する波長パスＱ１の接続時間を１秒から次の周期で 0.5秒にし、周期も 5.5秒に変更する。これにより、波長パスＱ１の平均容量は10／６Ｇbps から５／5.5 Ｇbps へ減少させることができる。
【００２０】
このように、シグナリングプロトコルにより接続時間を可変とすることにより、平均容量を任意に設定することができる。また、周期の変更も可能であるが、周期を変更せずに他の波長パスの接続時間を調整するようにしてもよい。また、波長パスの接続順序も任意に変更することができる。
【００２１】
【発明の効果】
以上説明したように、本発明の光ネットワーク、ノード、およびノード間接続方法は、シグナリングプロトコルを用いることにより波長パスを高速に切り替えることができ、仮想的に常時接続するノード数を増加させることができる。また、ピーク容量を保証しつつ平均容量の変更を可能としながら、他の複数のノードとの仮想的な常時接続を行うことができる。
【図面の簡単な説明】
【図１】本発明の光ネットワークの基本構成を示す図。
【図２】本発明のノードおよびノード間接続方法の第１の実施形態を示す図。
【図３】本発明のノードおよびノード間接続方法の第２の実施形態を示す図。
【図４】本発明のノードおよびノード間接続方法の第３の実施形態を示す図。
【図５】本発明のノードおよびノード間接続方法の第４の実施形態を示す図。
【符号の説明】
１，２，３，４  ノード
Ｐ１，Ｐ２，Ｑ１，Ｑ２，Ｑ３，Ｑ４  波長パス
【図１】
0003967610.tif 000002
【図２】
0003967610.tif 000003
【図３】
0003967610.tif 000004
【図４】
0003967610.tif 000005
【図５】
0003967610.tif 000006